(57)【要約】【課題】支軸を中心に嘴状に開閉する先端鉗子片を目標患部に正対させた状態のときにその目標患部を洗浄液で容易に洗浄することができる内視鏡用鉗子を提供すること。【解決手段】シース１内に、操作ワイヤ２と並列に送液チューブ１０を全長にわたって挿通配置して、その送液チューブ１０の出口開口１０ａを、支軸９より前方の位置から真っ直ぐに前方に向けて配置し、送液チューブ１０の出口開口１０ａからの放水が一対の先端鉗子片３の間の空間に向かうようにした。【選択図】      図１
2005080952.tif 000002
【特許請求の範囲】
【請求項１】
一対の先端鉗子片の各々の後側部分に駆動腕が一体に連結形成されて、上記駆動腕が上記先端鉗子片との境界部分付近において支軸を中心に回動自在にシースの先端部分に支持され、上記シース内に挿通配置されて先端が上記駆動腕に連結された操作ワイヤを軸線方向に進退操作することにより、上記先端鉗子片が上記支軸を中心に回動して嘴状に開閉駆動されるようにした内視鏡用鉗子において、
上記シース内に、上記操作ワイヤと並列に送液チューブを全長にわたって挿通配置して、その送液チューブの出口開口を、上記支軸より前方の位置から真っ直ぐに前方に向けて配置し、上記送液チューブの出口開口からの放水が上記一対の先端鉗子片の間の空間に向かうようにしたことを特徴とする内視鏡用鉗子。
【請求項２】
上記支軸が、間をあけて直列に配置されて個別に上記一対の駆動腕の一方ずつを支持する一対の支軸であり、上記送液チューブが、上記シースの先端付近の軸線位置に配置されてそのまま真っ直ぐに上記一対の支軸の間を通ってその前方位置まで延出している請求項１記載の内視鏡用鉗子。
【請求項３】
上記送液チューブの先端部分を保持するチューブ先端保持部材が、上記一対の支軸によって上記シースの先端部分に支持されている請求項２記載の内視鏡用鉗子。
【請求項４】
上記シースの先端に取り付けられた先端支持枠の先寄りの部分がスリットで分割された形状に形成されていて、そのスリットの先端部分の内側に上記チューブ先端保持部材が配置されて、上記先端支持枠に一端側が固定された上記各支軸の他端側に上記チューブ先端保持部材が支持されている請求項３記載の内視鏡用鉗子。
【発明の詳細な説明】
【技術分野】
【０００１】
この発明は、体内の止血や組織採取等を行うために内視鏡の処置具挿通チャンネルに通して使用されてれる内視鏡用鉗子に関する。
【背景技術】
【０００２】
内視鏡用鉗子は一般に、一対の先端鉗子片の各々の後側部分に駆動腕が一体に連結形成されて、駆動腕が先端鉗子片との境界部分付近において支軸を中心に回動自在にシースの先端部分に支持され、シース内に挿通配置されて先端が駆動腕に連結された操作ワイヤを軸線方向に進退操作することにより、先端鉗子片が支軸を中心に回動して嘴状に開閉駆動されるようになっている。
【０００３】
しかし、内視鏡用鉗子を使用する際には、目的とする止血や組織採取等を行う前に、粘膜表面に洗浄液を吹き付けて血液や汚液を洗い流したり、色素液を吹き付けて正常粘膜と異常粘膜との区別をし易くしたい場合がある。
【０００４】
そこで従来は、シース内の空間を通液路として利用して、シースの先端から洗浄液や色素液等を放水することができるようにしていた（特許文献１、２、３）。
【特許文献１】特公平６−９８１４０
【特許文献２】特開平４−１４６７４１
【特許文献３】特開２００１−３２７５１２
【発明の開示】
【発明が解決しようとする課題】
【０００５】
しかし、特許文献１、２及び３に記載された従来の内視鏡用鉗子は、いずれも、シースの先端から放水された液が駆動腕に当たってしまい、側方又は斜め前方に向けてしか放水することができないので、先端鉗子片を目標患部に正対させた状態で患部を洗浄液で洗浄することができず、非常に使い勝手が悪かった。
【０００６】
そこで本発明は、支軸を中心に嘴状に開閉する先端鉗子片を目標患部に正対させた状態のときにその目標患部を洗浄液で容易に洗浄することができる内視鏡用鉗子を提供することを目的とする。
【課題を解決するための手段】
【０００７】
上記の目的を達成するため、本発明の内視鏡用鉗子は、一対の先端鉗子片の各々の後側部分に駆動腕が一体に連結形成されて、駆動腕が先端鉗子片との境界部分付近において支軸を中心に回動自在にシースの先端部分に支持され、シース内に挿通配置されて先端が駆動腕に連結された操作ワイヤを軸線方向に進退操作することにより、先端鉗子片が支軸を中心に回動して嘴状に開閉駆動されるようにした内視鏡用鉗子において、シース内に、操作ワイヤと並列に送液チューブを全長にわたって挿通配置して、その送液チューブの出口開口を、支軸より前方の位置から真っ直ぐに前方に向けて配置し、送液チューブの出口開口からの放水が一対の先端鉗子片の間の空間に向かうようにしたものである。
【０００８】
なお、支軸が、間をあけて直列に配置されて個別に一対の駆動腕の一方ずつを支持する一対の支軸であり、送液チューブが、シースの先端付近の軸線位置に配置されてそのまま真っ直ぐに一対の支軸の間を通ってその前方位置まで延出していてもよい。
【０００９】
その場合に、送液チューブの先端部分を保持するチューブ先端保持部材が、一対の支軸によってシースの先端部分に支持されていてもよく、さらに具体的には、シースの先端に取り付けられた先端支持枠の先寄りの部分がスリットで分割された形状に形成されていて、そのスリットの先端部分の内側にチューブ先端保持部材が配置されて、先端支持枠に一端側が固定された各支軸の他端側にチューブ先端保持部材が支持されていてもよい。
【発明の効果】
【００１０】
本発明によれば、送液チューブの出口開口からの放水が一対の先端鉗子片の間の空間に真っ直ぐに向かうので、嘴状に開閉する先端鉗子片を目標患部に正対させた状態のときにその目標患部に洗浄液等を吹き付けて容易に洗浄することができる。
【発明を実施するための最良の形態】
【００１１】
送液チューブを、操作ワイヤと並列にシース内に全長にわたって挿通配置してシースの先端付近では軸線位置に配置し、そのまま真っ直ぐに支軸より前方位置まで延出させて、送液チューブの出口開口を支軸より前方の位置から真っ直ぐに前方に向けて配置する。
【実施例】
【００１２】
図面を参照して本発明の実施の形態を説明する。
図５は、内視鏡の処置具挿通チャンネルに通して止血や組織採取等に使用される内視鏡用鉗子を示している。
【００１３】
可撓性シース１内には、操作ワイヤ２が軸線方向に進退自在に全長にわたって挿通配置されており、操作ワイヤ２を手元側から軸線方向に進退させることによって、可撓性シース１の先端側に配置された一対の先端鉗子片３が嘴状に開閉駆動される。
【００１４】
可撓性シース１の基端に配置された操作部２０には、可撓性シース１の基端に連結されている操作部本体２１に、操作ワイヤ２の基端が連結されているスライド操作部材２２が摺動自在に配置されている。
【００１５】
また、図示されていない注射筒等によって洗浄液等の液体を注入するための注水口２３が操作部本体２１の側面に突設されており、その注水口２３に連通接続された例えば四フッ化エチレン樹脂チューブ製の送液チューブ１０が、操作ワイヤと並列に可撓性シース１内に全長にわたって挿通配置されている。
【００１６】
図１は内視鏡用鉗子の先端部分の側面断面図、図２はその正面断面図、図３と図４は、図２におけるIII−III断面図とIV−IV断面図であり、可撓性シース１は、ステンレス鋼線製のコイルパイプ１ａに電気絶縁性の可撓性チューブ１ｂを被覆して構成されている。ただし、コイルパイプのみ、或いは可撓性チューブのみ等の構成であっても差し支えない。
【００１７】
可撓性シース１の先端に連結固着された先端支持枠４は、その先寄りの部分がスリット４１によって大きく分割された形状に形成され、一対の先端鉗子片３の後側部分に各々一体に連結形成された駆動腕５がスリット４１内に配置されている。
【００１８】
先端支持枠４の先端付近においては、一端側が先端支持枠４に片持ち状態で固定支持された一対の支軸９が左右両側からスリット４１内に突出している。そして、各支軸９が、駆動腕５の先端鉗子片３との境界部分付近に形成された孔に緩く通されている。
【００１９】
操作ワイヤ２としては、ステンレス鋼線製の撚り線又は単線からなる二本のワイヤが可撓性シース１内に送液チューブ１０に沿って配置され、各操作ワイヤ２の先端が、可撓性シース１の先端から前方に突出して、一対の駆動腕５の後端付近の各々に形成された小孔６に係合している。
【００２０】
その結果、操作部２０において操作ワイヤ２を進退操作すると、操作ワイヤ２の先端に連結された駆動腕５が支軸９を中心に回動し、それによって先端鉗子片３が支軸９を中心にして嘴状に開閉する。
【００２１】
可撓性シース１内に全長にわたって挿通配置された送液チューブ１０は、可撓性シース１の先端付近においては、図４に示されるように可撓性シース１の軸線位置に配置されている。
【００２２】
そして、送液チューブ１０の先端部分はそのまま真っ直ぐ先端支持枠４のスリット４１内に延出して、一対の支軸９によって左右両側から支持されているチューブ先端保持部材８に送液チューブ１０の先端部分が保持されている。
【００２３】
チューブ先端保持部材８を保持する貫通孔が中心位置に形成されたチューブ先端保持部材８は、図３等に示されるように、先端支持枠４に外端部分が固定支持されている一対の支軸９の各々の内端部分によってスリット４１の先端中央位置に支持されている。
【００２４】
その結果、送液チューブ１０の出口開口１０ａは、支軸９よりやや前方の先端支持枠４の軸線位置から真っ直ぐ前方に向けて配置され、図１に示されるように、送液チューブ１０の出口開口１０ａからの放水が一対の先端鉗子片３の間の空間に向かうので、先端鉗子片３を目標患部１００に正対させて開いた状態のときに、その目標患部１００に洗浄液を容易に吹き付けて洗浄することができる。
【図面の簡単な説明】
【００２５】
【図１】本発明の実施例の内視鏡用鉗子の先端部分の側面断面図である。
【図２】本発明の実施例の内視鏡用鉗子の先端部分の正面断面図である。
【図３】本発明の実施例の内視鏡用鉗子の図２におけるIII−III断面図である。
【図４】本発明の実施例の内視鏡用鉗子の図２におけるIV−IV断面図である。
【図５】本発明の実施例の内視鏡用鉗子の全体構成図である。
【符号の説明】
【００２６】
１  可撓性シース
２  操作ワイヤ
３  先端鉗子片
４  先端支持枠
５  駆動腕
８  チューブ先端保持部材
９  支軸
１０  送液チューブ
１０ａ  出口開口
４１  スリット
【図１】
2005080952.tif 000003
【図２】
2005080952.tif 000004
【図３】
2005080952.tif 000005
【図４】
2005080952.tif 000006
【図５】
2005080952.tif 000007
【手続補正書】
【提出日】平成16年5月25日(2004.5.25)
【手続補正１】
【補正対象書類名】明細書
【補正対象項目名】００１５
【補正方法】変更
【補正の内容】
【００１５】
また、図示されていない注射筒等によって洗浄液等の液体を注入するための注水口２３が操作部本体２１の側面に突設されており、その注水口２３に連通接続された例えば四フッ化エチレン樹脂チューブ製の送液チューブ１０が、操作ワイヤ２と並列に可撓性シース１内に全長にわたって挿通配置されている。
【手続補正２】
【補正対象書類名】明細書
【補正対象項目名】００２３
【補正方法】変更
【補正の内容】
【００２３】
送液チューブ１０を保持する貫通孔が中心位置に形成されたチューブ先端保持部材８は、図３等に示されるように、先端支持枠４に外端部分が固定支持されている一対の支軸９の各々の内端部分によってスリット４１の先端中央位置に支持されている。